(57)【要約】  本発明は眼鏡のフレーム（１０）の連結部で着脱可能なテンプルを有する眼鏡において、眼鏡のフレーム（１０）の側面に形成され、ヒンジ溝（２１）を備える連結部（２０）と；連結部（２０）のヒンジ溝（２１）に挿着されて回動可能なヒンジ端（３１）を備えるテンプル（３０）と；連結部（２０）とテンプル（３０）との接触面にそれぞれ装着されて、テンプルを着脱可能に支持する磁石（４０）を備えるが、磁石（４０）を露出させるか内部に埋立する方式の中の何れか一つを選んで設置される着脱手段と；を含むことを特徴とする。これによって、本発明は、磁力によって堅固な結合力を保持し、組み立て及び取替えが容易で、また、蝶番を構成しなくてもテンプルを折ることができながら自然に広げた状態を保持し、必要によって多様な形態のテンプルを手軽く速かに取り替えることができるなどファッション性を強調することができるという効果を奏する。
2014515502.tif 000002
【特許請求の範囲】
【請求項１】
眼鏡のフレーム（１０）の連結部で着脱可能なテンプルを有する眼鏡において、
上記眼鏡のフレーム（１０）の側面に形成され、ヒンジ溝（２１）を備える連結部（２０）と；
上記連結部（２０）のヒンジ溝（２１）に挿着されて回動可能なヒンジ端（３１）を備えるテンプル（３０）と；
上記連結部（２０）とテンプル（３０）との接触面にそれぞれ装着されて、テンプルを着脱可能に支持する磁石（４０）とを備え、上記磁石（４０）を露出させるか内部に埋立する方式の中の何れか一つを選んで設置される着脱手段と；を含むことを特徴とする磁石を利用した取替え可能なテンプルを有する眼鏡。
【請求項２】
上記テンプル（３０）は連結部（２０）のヒンジ溝（２１）と噛み合って回動角度の範囲を制限するために干渉されるストップ突起（３５ａ）（３５ｂ）を備えることを特徴とする請求項１に記載の磁石を利用した取替え可能なテンプルを有する眼鏡。
【発明の詳細な説明】
【技術分野】
【０００１】
本発明は取替え可能な眼鏡のテンプルに関するもので、より具体的には、磁力によって堅固な結合力を保持し、組み立て及び取替えが容易で、また、蝶番を構成しなくてもテンプルを折ることができるようにしながら自然に広げた状態を保持し、必要によって多様な形態のテンプルを手軽く速かに取り替えることができるなどファッション性を強調することができる磁石を利用した取替え可能なテンプルを有する眼鏡に関するものである。
【背景技術】
【０００２】
通常、眼鏡は人の表情変化を直接読むことができる部位である両目に着用するもので、着用した人の顔つき及びイメージに大きい変化を与えるという点で、人々のスタイル変身に対する渇望を満たす特性（変身性）を有する。眼鏡のこのような「変身性」はファッション性を尊重する最近の風潮から大きく尊重されるようになり、単なる「視力矯正道具」や「防眩道具」としての実用的な道具だけではなく、ファッション道具として新しい商品的地位まで確立するに至った。そして、このような傾向は社会が豊かになるにつれてますます著しくなって、より個性的で、ファッション性が優れたものを求める実情である。
【０００３】
一例として、眼鏡のテンプルは、合成樹脂を射出成形して製造される眼鏡のテンプルと、木材を利用して製造される眼鏡のテンプルと、多様な金属で製造される眼鏡のテンプル及びこれを混用して製造される眼鏡のテンプルなどを多様な形態に区分して販売している。ところが、上述した眼鏡のテンプルは形状及び模様が極めて限定されて製造されるため、装飾性が劣っているという問題点があり、消費者に注目されなかった。そこで、最近、業社では、歩調をあわせて装飾性及びファッション性を浮き彫りした多様な眼鏡のテンプルを出市して販売している。
【０００４】
これに関する先行特許としては、韓国公開特許公報第２０１０−０１３５４０２号の「磁石が備えられた眼鏡」、韓国公開特許公報第２００８−００９６９７２号の「磁力を利用した眼鏡のテンプルの連結装置」などが知られている。
【０００５】
一例として、韓国公開特許公報第２０１０−０１３５４０２号によれば、眼鏡のフレームとテンプルが互いに接する部分にそれぞれ磁石が備えられ、普段は固定されて、外部衝撃にも折れないで分離されることができるようにする磁石が備えられた眼鏡に関する技術が開示される。
【０００６】
しかし、眼鏡のフレームとテンプルとの間に磁石を形成して固定する構造であるため、普段は固定されて外部衝撃にも折れないで分離される長所があるが、一方、結合部の結合力が非常に弱くて、眼鏡としての本来の機能を発揮しにくく、眼鏡のテンプルを折ったり広げる時、蝶番を使わなければならず、テンプルを取り替えてファッション性を強調する場合にも煩雑であり、視覚的審美感及びファッション性を変化する用途として充分でないという短所がある。
【０００７】
他の例として、韓国公開特許公報第２００８−００９６９７２号によれば、眼鏡のテンプル３０を眼鏡のフレーム側に連結するための長石１０を備える眼鏡において、上記長石の一端にヒンジを通じて連結され、少なくとも２つの第１磁石を備える第１連結部と；上記眼鏡のテンプルの一端に一体に延長されて形成され、上記第１連結部に対応し、第２磁石を備える第２連結部と；上記第１連結部と第２連結部とを同時に囲んで結束するように形成される連結バンドと；を含む磁力を利用した眼鏡の連結構造に関する技術が開示される。
【０００８】
しかし、上記先行特許における構成によれば、ボルトやナットを使わないので、テンプルを容易に分解したり組み立てることができる機能を具現するという長所があるが、一方、長石及び連結バンドを用いるため、眼鏡のテンプルの取替えが煩雑で、視覚的審美感及びファッション性を変化する用途としては充分でないという短所がある。
【発明の概要】
【発明が解決しようとする課題】
【０００９】
上記のような従来の問題点を根本的に改善するために、本発明の目的は、磁力に依存する方式を採択して堅固な結合力を保持し、組み立て及び取替えが容易で、また、蝶番を構成しなくてもテンプルを折ることができるようにしながら自然に広げた状態を保持し、必要によって多様な形態のテンプルを手軽く速かに取り替えることができるなどファッション性を強調することができる磁石を利用した取替え可能なテンプルを有する眼鏡を提供することにある。
【課題を解決するための手段】
【００１０】
上記目的を達するために、本発明は、眼鏡のフレームの連結部で着脱可能なテンプルを有する眼鏡において、上記眼鏡のフレームの側面に形成され、ヒンジ溝を備える連結部と；上記連結部のヒンジ溝に挿着されて回動可能なヒンジ端を備えるテンプルと；上記連結部とテンプルとの接触面にそれぞれ装着されて、テンプルを着脱可能に支持する磁石を備え、上記磁石を露出させるか内部に埋立する方式の中の何れかを選んで設置される着脱手段と；を含むことを特徴とする。
【００１１】
この時、本発明の上記テンプルは、連結部のヒンジ溝と噛み合って、回動角度の範囲を制限するために干渉されるストップ突起を備えることを特徴とする。
【００１２】
一方、本発明の説明に先だち、本明細書及び特許請求の範囲に用いられる用語や単語は通常的や辞書的な意味に限定して解釈されてはならなく、発明者はその自分の発明を最も最善の方法で説明するために用語の概念を適切に定義することができるという原則に即して、本発明の技術的思想に符合する意味と概念に解釈されなければならない。従って、本明細書に記載された実施例と図面に示した構成は本発明の最も好ましい一実施例に過ぎず、本発明の技術的思想を代弁するものではないので、本出願時点においてこれらを代替することができる多様な均等物と変形例があり得ることを理解すべきである。
【発明の効果】
【００１３】
以上の構成及び作用で説明したように、本発明による磁石を利用した取替え可能なテンプルを有する眼鏡は、磁力によって堅固な結合力を保持し、組み立て及び取替えが容易で、また、蝶番を構成しなくてもテンプルを折ることができるようにしながら自然に広げた状態を保持し、必要によって多様な形態のテンプルを手軽く速かに取り替えることができるなどファッション性を強調することができる効果を奏する。
【図面の簡単な説明】
【００１４】
【図１】本発明による眼鏡を分解して示す斜視図である。
【図２】本発明による眼鏡の主要部を分解して示す斜視図である。
【図３】本発明による眼鏡の組立て過程を示す斜視図である。
【図４】本発明による眼鏡の作動過程を示す構成図である。
【図５】本発明の変形例による眼鏡の主要部分を示す断面構成図である。
【発明を実施するための形態】
【００１５】
以下、添付された図面を参照して本発明による好ましい実施例を詳細に説明する。
【００１６】
本発明は眼鏡のフレーム１０の連結部で着脱可能なテンプルを有する眼鏡に関し、特に、取替え可能なテンプルとは磁力によって着脱可能な組み立て構造を意味する。ここで、眼鏡のフレーム１０はレンズを支持する眼鏡のフレームで、合成樹脂材や金属製などいずれも適用することができる。
【００１７】
本発明によれば、上記眼鏡のフレーム１０の側面に形成され、ヒンジ溝２１を備える連結部２０が用いられる。連結部２０は、図面に示すように、眼鏡のフレーム１０の側面に一体に形成されるが、これは眼鏡のフレーム１０と一体に形成されるか、別途に形成して溶接で形成可能である。連結部２０は、図１〜図３のように、内面に貫通されるようにヒンジ溝２１が形成される。このようなヒンジ溝２１には後述するテンプル３０のヒンジ端３１が挿着されて回動可能に形成される。
【００１８】
また、本発明によれば、上記連結部２０のヒンジ溝２１に挿着されて回動可能なヒンジ端３１を備えるテンプル３０が用いられる。テンプル３０は眼鏡のフレーム１０と同様に、樹脂材で射出成形した構造または金属材で塑性加工した構造で適用され、耳にかける部分は金属材からなるが、他端に別途の樹脂材をさらに付け加えることもできる。テンプル３０は図１〜図３に示すように、一端にヒンジ端３１を備える。このようなヒンジ端３１は、上述したように、連結部２０のヒンジ溝２１に挿着されて回動可能である。即ち、テンプル３０はヒンジ端３１によって連結部２０のヒンジ溝２１に挿着されて回動可能でありながらも離脱が防止される。これは後述する着脱手段によって離脱が防止され、これによる説明は後で詳細に説明する。
【００１９】
この時、本発明の上記テンプル３０は、連結部２０のヒンジ溝２１と噛合って回動角度の範囲を制限するために干渉されるストップ突起３５ａ、３５ｂが備えられる。テンプル３０は衝撃を吸収するために、ある程度広げられることが許容されるが、広げすぎると着用が不可能になる。従って、テンプル３０の回動角度の範囲を制限するために、ストップ突起３５ａ、３５ｂが具備される。図２〜図４のように、ストップ突起３５ａはテンプル３０が回動して広げられる時、広げ角度を制限し、ストップ突起３５ｂはテンプル３０が回動して折られる時折る角度を制限する。これは連結部２０のヒンジ溝２１と相互連携してこのような作動を行う。
【００２０】
また、本発明によれば、上記連結部２０とテンプル３０との接触面にそれぞれ装着されて、テンプルを着脱可能に支持する磁石４０を備える着脱手段が用いられる。着脱手段は連結部２０からテンプル３０を着脱して多様な形態のテンプルを手軽く速かに取り替えることができるようにする役割を果たす。磁石４０は連結部２０とテンプル３０との接触面にそれぞれ装着されるが、これは図２に示すように、連結部２０のヒンジ端２１の一側面に形成され、これと当接するテンプル３０のヒンジ端３１の一側面に形成される。従って、着脱手段、即ち磁石４０によってテンプル３０のヒンジ端３１が連結部２０のヒンジ溝２１に挿着されて回動可能でありながらも磁石４０の磁力によって離脱されることが防止される。
【００２１】
このような磁石４０の磁力は１００〜２０００ガウス、好ましくは、１０００〜１５００ガウスに設定される。磁石４０は大きさが小さく、磁力が強いものがよく、連結部２０とテンプル３０において統一感があるように設置される。これは、場合によって磁石４０が眼鏡の見掛けに悪い影響を与えないようにするためである。
【００２２】
この時、本発明の着脱手段は、連結部２０とテンプル３０の一面に磁石４０を露出させるか内部に埋立する方式の中の何れかを選んで設置される。連結部２０とテンプル３０の磁石４０は、図５に示すように、一面に露出させるか内部に埋立する方式の中の何れかを選んで設置するが、連結部２０とテンプル３０を樹脂材で形成する場合、磁石４０はインサート射出で設置されるので、露出または埋立する方式の何れも可能であり、連結部２０とテンプル３０が金属材で形成される場合、一面に貫通された溝を通じて次の磁石３０を設置することから、埋立方式ではない露出方式が適する。
【００２３】
図３を利用して組み立てる際において、テンプル３０のヒンジ端３１を連結部２０のヒンジ溝２１に位置させる。次に、ヒンジ溝２１にヒンジ端３１を押し入れて挿設すれば、磁石４０によってテンプル３０が連結部２０に互いに当接されて組み立てが完了される。これによって、テンプル３０はヒンジ溝２１に挿設されたストップ突起３５ａによって拘束され、折る際にも、ストップ突起３５ｂによって拘束され、磁石４０の磁力によって拘束される状態を保持して、連結部２０からテンプル３０が堅固に装着される。
【００２４】
そして、これを逆順で、即ち、連結部２０のヒンジ溝２１からテンプル３０のヒンジ端３１を磁石４０が位置した逆方向に引きながら離脱させると、連結部２０のヒンジ溝２１からテンプル３０を離脱させることができる。従って、このように多様な形態を有するテンプル３０を手軽く速かに取り替えることが容易であるので、部分的な修理が可能で、多様なファッション性を具現することができる。
【００２５】
図４を利用して作動する際において、図４ａは連結部２０からテンプル３０を折った状態で、ヒンジ端３１が連結部２０の側面に接した状態を保持した状態で、ストップ突起３５ｂはテンプル３０が回動して広がった角度を制限すると同時に、ストップ突起３５ａは連結部２０の他面に接した状態を保持しながら、磁石４０によって連結部２０からテンプル３０が離脱されることが防止される。これは連結部２０のヒンジ溝２１と相互連携してこのような作動を行う。
【００２６】
図４ｂ、４ｃのように、テンプル３０を回動させて広げれば、即ち、テンプル３０は磁石４０の磁力によって自然に広がる。これはヒンジ端３１が連結部２０のヒンジ溝２１から回動して自然に広がる。この時、ストップ突起３５ａはヒンジ溝２１に接した状態を保持してテンプル３０の広がり角度を制限するが、これはテンプル３０を所定角度以上広げようとしてもストップ突起３５ａが連結部２０のヒンジ溝２１に互いに噛み合って広がることができず、磁石４０によって連結部２０からテンプル３０が離脱されることが防止される。
【００２７】
このように、本発明の磁石を利用した連結部２０とテンプル３０は、磁力によって堅固な結合力を保持し、組み立て及び取替えが容易で、また、蝶番を構成しなくてもテンプルを折ることができるようにしながら自然に広げた状態を保持し、必要によって多様な形態のテンプルを手軽く速かに取り替えることができるなどファッション性を強調することができ、製造コストを低減し、使用が便利で、故障されることなく使用することができる。
【００２８】
本発明は記載された実施例に限定されるのではなく、本発明の思想及び範囲を逸脱しない範囲内で、多様な修正及び変形が可能であることは、当該技術分野における通常の知識を有する者にとって自明である。従って、そのような変形例または修正例は本発明の特許請求の範囲に属するとすべきである。
【図１】
2014515502.tif 000003
【図２】
2014515502.tif 000004
【図３】
2014515502.tif 000005
【図４】
2014515502.tif 000006
【図５】
2014515502.tif 000007
【国際調査報告】
2014515502.tif 000008
2014515502.tif 000009
2014515502.tif 000010
2014515502.tif 000011